(57)【要約】  本発明は、両親媒性の抗酸化成分を含む、酸化攻撃に対して安定化されたまたは酸化攻撃が抑制された、安定化された界面活性剤含有溶液に対する。【特許請求の範囲】
【請求項１】
ａ）両親媒性の抗酸化成分、および
ｂ）界面活性剤成分を含み、
両親媒性の抗酸化成分が、少なくとも１つの両親媒性の抗酸化剤および少なくとも１つの親水性の抗酸化剤ブースターを含み、両親媒性の抗酸化剤：ブースターのモル比が、少なくとも１：１であり、
両親媒性の抗酸化成分が、酸化体を含有する溶液中で、酸化攻撃に対する界面活性剤の安定性を改善するのに十分な量で存在する、
安定化された界面活性剤組成物。
【請求項２】
（ａ）過酸化物成分、
（ｂ）両親媒性の抗酸化成分、
（ｃ）界面活性剤成分、および
（ｄ）水
を含み、
両親媒性の抗酸化成分が、少なくとも１つの両親媒性の抗酸化剤および少なくとも１つの親水性の抗酸化剤ブースターを含み、両親媒性の抗酸化剤：ブースターのモル比が、少なくとも１：１であり、
両親媒性の抗酸化成分が、酸化攻撃に対する界面活性剤の安定性を改善するのに十分な量で存在する、
組成物。
【請求項３】
両親媒性の抗酸化剤が、式Ｒ１−Ｒ２を有する化合物であり、
Ｒ１が、以下から選択される官能基：
【化１２】
2014513160.tif 000017
（式中、Ｘ１からＸ５は、Ｈ、ＯＨ、ＣＨ３もしくはそれらのいずれかの組合せであってよく、または任意に共鳴環状構造にＣＨ３基を連結するＯであってよい）、または
【化１３】
2014513160.tif 000018
（式中、Ｒ１は、炭素（１）と（２）の間の二重結合もしくは炭素（３）に付くペンダント酸素のいずれか、または両方の組合せを含有し、Ｘ１からＸ５は、上に記載された通りである）、または
【化１４】
2014513160.tif 000019
（式中、Ｘ１、Ｘ２、Ｘ３およびＸ４は、Ｈ、ＯＨもしくはＣＨ３、またはそれらのいずれかの組合せであってよい）、または、
【化１５】
2014513160.tif 000020
（式中、Ｘ１、Ｘ２、Ｘ３、Ｘ４およびＸ５は、Ｈ、Ｏ、ＣＨ３もしくはそれらの組合せであってよい）、または、
【化１６】
2014513160.tif 000021
（式中、Ｘ１、Ｘ２、Ｘ３、Ｘ４およびＸ５は、Ｈ、Ｏ、ＣＨ３もしくはそれらの組合せであってよい）であり、
Ｒ２が、Ｃ４からＣ２０の範囲内の炭素原子数を有する直鎖または分枝の炭素鎖疎水性構造である、
請求項１または２に記載の組成物。
【請求項４】
Ｘ１〜Ｘ５を含有するＲ１の式を有する化合物が、Ｘ１、Ｘ３およびＸ５の位置のそれぞれにＯＨ基を有する、請求項３に記載の組成物。
【請求項５】
界面活性剤成分が、酸、アルコール、アミンまたはアミド１モルに付き酸化エチレンおよび／または酸化プロピレンを１から１２モル有する、エトキシ化および／またはプロポキシ化された脂肪酸、アルコール、アミンまたはアミドの１つまたは複数を含む非イオン性界面活性剤を含み、酸、アルコール、アミンまたはアミドが、７から１５個の炭素原子を含む、請求項１から４のいずれか一項に記載の組成物。
【請求項６】
過酸化物成分が、過酸化水素を含む、請求項２から５のいずれか一項に記載の組成物。
【請求項７】
過酸化物成分が、少なくとも１つのジホスホン酸安定剤をさらに含む、請求項６に記載の組成物。
【請求項８】
抗酸化剤ブースターが、式Ｒ３−Ｒ４を有する少なくとも１つの親水性化合物であり、
Ｒ３が五または六員環であり；六員環の員が全てＣであるか、または任意に環の１つの員がＮであり、１個のＣが置換基として−Ｒ４を有し、その他の炭素環の員が−Ｈ、−ＯＨ、−ＯＣＨ３から選択される置換基を有することができ；五員環の員が全てＣであるか、または任意に環の２個までの員がＳであり、１個のＣが置換基として−Ｒ４を有し、
Ｒ４が、Ｃ１からＣ５の長さおよび少なくとも１つのカルボン酸官能基を有する炭素鎖である、請求項１から７のいずれか一項に記載の組成物。
【請求項９】
Ｒ４が、鎖上の末端基である１個のカルボン酸官能基を有する、請求項８に記載の組成物。
【請求項１０】
抗酸化剤ブースターが、リポ酸、コーヒー酸、ケイ皮酸、ニコチン酸、ピコリン酸、フェルラ酸、クマル酸、それらの誘導体、およびそれらの組合せからなる群から選択される、請求項８に記載の組成物。
【請求項１１】
両親媒性の抗酸化成分が、α−トコフェロールおよびピコリン酸を含み、α−トコフェロールおよびピコリン酸が、それぞれ、界面活性剤の量に基づいて約１から約１０ｗｔ％の量で存在する、請求項１から１０のいずれか一項に記載の組成物。
【請求項１２】
過酸化物成分が、過酸化水素、およびホスホン酸ベースの金属イオン封鎖剤を含む、請求項２から１１のいずれか一項に記載の組成物。
【請求項１３】
過酸化物成分が、（１）過酸化水素を、全組成物に基づいて０．１から約８ｗｔ％の量で、および（２）ＨＥＤＰ、その塩、またはそれらの分解生成物を、過酸化水素の量に基づいて約１０から約６０ｗｔ％の量で含み、
界面活性剤が、全組成物に基づいて０．１から約２ｗｔ％の量で存在し、
少なくとも１つの両親媒性の抗酸化剤化合物がα−トコフェロールであり、界面活性剤の量に基づいて約０．５から約２０ｗｔ％の量で存在する、
請求項１２に記載の組成物。
【請求項１４】
α−トコフェロールが、界面活性剤に基づいて約１．５から約６ｗｔ％の量で存在する、請求項１３に記載の組成物。
【請求項１５】
請求項１から１４のいずれか一項に記載の組成物を含む、洗浄組成物。
【請求項１６】
植物または動物を、洗浄または処置するのに有用である、請求項１から１４のいずれか一項に記載の組成物を含む、洗浄または処置組成物。
【請求項１７】
基材を備え、請求項１から１４のいずれか一項に記載の組成物が、基材上または基材中に吸収されている、物品。
【発明の詳細な説明】
【技術分野】
【０００１】
本発明の分野は、酸化攻撃に対する、界面活性剤を含有する溶液の安定化に関する。一つの態様において、本発明の分野は、過酸化物成分、有機界面活性剤および安定剤を含有する過酸化物洗浄溶液、ならびに安定化された洗浄配合物を調製する方法に関する。
【背景技術】
【０００２】
微量不純物、主に溶解された金属に起因する、過酸化水素の分解を防ぐため、過酸化水素溶液には、安定剤が通常添加される。これらの化合物は、一般に金属イオン封鎖剤であり、多くの形態をとることができる。ジオール、キノン、スズ酸塩、ピロリン酸塩、多様な芳香族化合物、およびアミノカルボン酸塩など、多くの種類の化合物が、この機能を果たすために使用されてきた。しかし、これまでに提示された化合物の多くは、毒性、環境影響、および貧弱な性能など、それらの化合物に関連する多様な問題および課題を抱えている。
【０００３】
過酸化水素の分解を防ぐために、溶液中で使用されるため提示されてきた具体的な化合物の例としては、ナトリウムフェノールサルフェート；スズ酸ナトリウム；Ｎ，Ｎ−低級アルキルアニリン、スルファミン酸、スルホラン、ならびにジノルマル低級アルキルスルホンおよびスルホキシド；ホスホン酸およびその塩；アクリル酸ポリマー；ポリリン酸塩；ポリアミノポリホスホン酸および／またはその塩；ならびにかかる化合物の特定の組合せ（またはブレンド）が挙げられる。しかし、毒性および環境影響の懸念に加えて、これらの提示された化合物またはブレンドの多くは、その他の弱点を有する。例えば、（１つまたは複数の）特定の安定剤の使用は、適正な過酸化水素の安定性を実現するための特定のｐＨレベル、例えば酸性条件、もしくは比較的低い過酸化水素濃度などの特定の条件を必要とするか、または貧弱な安定性能を有するかのいずれかである。貧弱な安定性能は、全般的に貧弱な安定性能であるか、その他の不安定化成分、例えば界面活性剤を含有する特定の配合物における貧弱な安定性能であるかのいずれかであり得る。
【０００４】
その上、過酸化水素は、有機界面活性剤などの有機成分を含有する多様な溶液中の、例えば洗浄溶液中の構成成分として、広く使用されてきた。かかる洗浄溶液の多くは、所望の洗浄性能を達成するために、ｐＨの調節、および過酸化水素に対して不安定化効果を与え得る多様なその他の構成成分を必要とする。
【０００５】
適切な金属イオン封鎖剤、例えばホスホン酸ベースの金属イオン封鎖剤の結果として比較的優良な過酸化水素の安定性を有する場合ですら、改善された安定性を有する有機成分を含有する過酸化物ベースの溶液を提供することが求められている。
【発明の概要】
【０００６】
金属イオン封鎖剤によってですら、有機界面活性剤を含有する多くの酸化体（例えば過酸化物）ベースの洗浄溶液は、時間経過に伴う下方へのｐＨ移行およびおそらく許容されない短い保存可能期間を経験することがわかった。かかるｐＨ移行は、酸化体による酸化攻撃の結果としての有機界面活性剤の不安定化の結果であると考えられる。さらに、有機界面活性剤の不安定化は、未反応の界面活性剤によって通常もたらされる洗浄性能の低下を引き起こすと考えられる。
【０００７】
一つの態様において、本発明は、酸化体と共に使用するのに適切な、酸化攻撃に対して安定化された界面活性剤に関する。一つの実施形態において、本発明は、界面活性剤成分および両親媒性の抗酸化成分を含む、酸化攻撃に対して安定化されたまたは酸化攻撃が抑制された、安定化された界面活性剤組成物に対する。本発明の一実施形態において、安定化された界面活性剤組成物は、酸化体成分を含有する洗浄溶液（または配合物）、例えば、過酸化水素溶液中に含まれる。
【０００８】
別の態様において、本発明は、酸化体および両親媒性の抗酸化成分を含む安定化された酸化体組成物に対する。一つの実施形態において、安定化された酸化体組成物は、金属イオン封鎖剤安定剤、例えばホスホン酸ベースの金属イオン封鎖剤をさらに含む。一実施形態において、酸化体は、過酸化物、例えば過酸化水素である。本発明の一実施形態において、安定化された酸化体組成物は、少なくとも１つの適切な界面活性剤、および任意の（例えば、洗浄配合物中で使用される）その他の一般的な成分と組み合わされて、酸化攻撃から保護された界面活性剤を有する洗浄溶液を生成する。
【０００９】
別の態様において、本発明は、過酸化物成分（例えば過酸化水素）、界面活性剤および安定剤を含有する、界面活性剤の酸化攻撃に対して安定化された、過酸化物ベースの洗浄組成物に関する。
【００１０】
一つの実施形態において、過酸化物ベースの洗浄組成物は、（１）（ａ）過酸化物成分、（ｂ）過酸化物安定剤成分、（ｃ）両親媒性の抗酸化成分および（ｄ）水を含む水性過酸化物組成物、ならびに（２）界面活性剤成分を含む。
【００１１】
一つの実施形態において、過酸化物ベースの洗浄組成物は、（１）（ａ）過酸化物成分、（ｂ）過酸化物安定剤成分および（ｃ）水を含む水性過酸化物組成物、ならびに（２）（ａ）界面活性剤成分および（ｂ）両親媒性の抗酸化成分を含む安定化された界面活性剤組成物を含む。
【００１２】
一つの実施形態において、過酸化物成分は、過酸化水素である。一実施形態において、過酸化物安定剤成分は、ホスホン酸、その塩、またはそれらの分解生成物をベースとする錯化剤である。
【００１３】
一つの実施形態において、過酸化物組成物は、（ａ）過酸化水素を、過酸化物組成物に基づいて約２０〜約７０重量％の量で、（ｂ）少なくとも１つのジホスホン酸化合物、その塩、またはそれらの分解生成物を、過酸化水素の量に基づいて約１０〜約６０重量％の量で、および（ｃ）水を含む。一つの実施形態において、ジホスホン酸化合物は、１−ヒドロキシエチリジン（hydroxyethylidine）−１，１−ジホスホン酸（ＨＥＤＰ）である。一つの実施形態において、過酸化物組成物は、（ｄ）両親媒性の抗酸化成分を、さらに含む。
【００１４】
本発明の実施形態において、界面活性剤成分は、非イオン性、両性、アニオン性またはカチオン性の界面活性剤を含む。非イオン性界面活性剤が好まれ、酸、アルコール、アミンまたはアミド１モルに付き、好ましくは１〜１２、最も好ましくは４〜８モルの酸化エチレンおよび／または酸化プロピレンを含む、エトキシ化および／またはプロポキシ化された脂肪酸、アルコール、アミンまたはアミドの１つまたは複数を、例えば含むことができる。好ましくは、酸、アルコールまたはアミドは、７〜１５、最も好ましくは９〜１１個の炭素原子を含む。有用な非イオン性界面活性剤は、１１個の炭素原子および８個の酸化エチレンを含有するエトキシ化アルコールなどの高い起泡性のもの、または９個の炭素原子および６個の酸化エチレンを含有するナローレンジエトキシ化アルコールなどの低い起泡性のものであり得る。さらなる界面活性剤としては、アルキルポリグルコシドおよびその他の炭水化物誘導体が挙げられてもよい。
【００１５】
一つの実施形態において、界面活性剤は、直鎖または分枝のいずれかのナローレンジの非イオン性疎水性物質である。非限定的例は、Ｂｅｒｏｌ（登録商標）２６０、Ｂｅｒｏｌ（登録商標）２６６、Ｂｅｒｏｌ（登録商標）５０５、およびＢｅｒｏｌ（登録商標）５０８（全てＡｋｚｏＮｏｂｅｌ製）である。
【００１６】
一実施形態において、両親媒性の抗酸化成分は、少なくとも１つの両親媒性の抗酸化剤および少なくとも１つの抗酸化剤ブースターを含む。一つの実施形態において、少なくとも１つの両親媒性の抗酸化剤は、界面活性剤の量に基づいて、約０．５〜約２０ｗｔ％、または約１〜約１５ｗｔ％、約１〜約１０ｗｔ％、または約１．５〜約６ｗｔ％の量で存在する。
【００１７】
一つの実施形態において、少なくとも１つの両親媒性の抗酸化剤は、α−トコフェロールを含む。別の実施形態において、両親媒性の抗酸化成分は、少なくとも２つの両親媒性の抗酸化剤を含み、α−トコフェロールは、主要な（すなわち大部分の）両親媒性の抗酸化剤である。
【００１８】
本発明の一つの実施形態において、両親媒性の抗酸化剤と抗酸化剤ブースターのモル比は、少なくとも１：１である。一実施形態において、抗酸化剤ブースターは、抗酸化またはラジカル捕捉の特性を有する少なくとも１つの親水性化合物を含む。実施形態において、両親媒性の抗酸化剤と抗酸化剤ブースターとの比は、材料の分子量に基づいて（すなわちモル比）、少なくとも１．１：１、または少なくとも２：１、または少なくとも３：１、または少なくとも５：１である。本発明の実施形態において、抗酸化剤ブースターは、リポ酸、コーヒー酸、ケイ皮酸、ニコチン酸、ピコリン酸、フェルラ酸、クマル酸、それらの誘導体、およびそれらの組合せから選択される。一つの実施形態において、ブースターは、ピコリン酸である。
【００１９】
溶液、例えば洗浄溶液は、ビルダー、香料、着色剤、およびそれらの組合せからなる群から選択されるその他の添加物もまた含み得る。一つの実施形態において、ビルダーは、非限定的に、ＥＤＴＡ、ＧＬＤＡ、塩化ナトリウム、ポリリン酸塩等の、有機および無機の塩からなる群から選択される。
【００２０】
本発明の実施形態において、過酸化物含有溶液のｐＨは、少なくとも４〜約１１、より好ましくは少なくとも４〜約１０、最も好ましくは約４〜約９．５の範囲内である。実施形態において、過酸化水素は、過酸化物溶液全体に基づいて、約０．１〜約２０ｗｔ％、または約０．３〜約１５ｗｔ％、または約０．５〜約８ｗｔ％の量で存在する。実施形態において、過酸化物安定剤は、約９７℃で１６時間後、過酸化水素安定性が少なくとも約５０％、より好ましくは少なくとも約６０％、最も好ましくは少なくとも約６５％の溶液を提供するのに十分な量で存在する。
【００２１】
実施形態において、界面活性剤は、過酸化物含有溶液全体に基づいて、約０．０４〜約１０ｗｔ％、または約０．１〜約５ｗｔ％、または約０．５〜約２ｗｔ％の量で存在する。実施形態において、両親媒性の抗酸化成分は、約９４℃で２４時間後、ｐＨ安定性の低下（総ｐＨ低下）が約２未満、または約１．５未満、または約１未満の過酸化物溶液を提供するのに十分な量で存在する。
【００２２】
一つの実施形態において、過酸化物ベースの組成物は、（１）過酸化水素を、全組成物に基づいて０．１〜約８ｗｔ％の量で、（２）ＨＥＤＰ、その塩、またはそれらの分解生成物を、過酸化水素の量に基づいて約１０〜約６０ｗｔ％の量で、（３）界面活性剤を、全組成物に基づいて０．１〜約２ｗｔ％の量で、および（４）少なくとも１つの両親媒性の抗酸化剤分子（本明細書に記載の通り）を、界面活性剤の量に基づいて約０．５〜約２０ｗｔ％の量で、および少なくとも１つの抗酸化剤ブースター（本明細書に記載の通り）を含み、両親媒性の抗酸化剤分子と抗酸化剤ブースターのモル比は、少なくとも１：１である。一つの実施形態において、組成物は、洗浄組成物、例えば、布地用洗浄剤またはカーペット用洗浄剤である。別の実施形態において、組成物は、植物または動物を洗浄または処置するための、例えば、ヒトなどの動物の外傷を洗浄または処置するのに使用するための洗浄または処置組成物である。
【００２３】
一つの態様において、本発明は、安定化された過酸化物ベースの溶液を調製する方法に関するものであり、１）界面活性剤成分を、両親媒性の抗酸化成分と組み合わせることによって、安定化された界面活性剤組成物を調製するステップ、２）安定化された界面活性剤組成物を、過酸化物組成物と組み合わせるステップ、および３）ｐＨを少なくとも６の値に調整する量のアルカリ剤（例えば腐食剤）を、ステップ２）からの組合せに添加するステップを含む。一つの実施形態において、両親媒性の抗酸化成分は、少なくとも１つの両親媒性の抗酸化剤分子および少なくとも１つの抗酸化剤ブースターを含み、両親媒性の抗酸化剤分子および抗酸化剤ブースターは、界面活性剤成分に別々に添加される。一つの実施形態において、両親媒性の抗酸化剤分子および抗酸化剤ブースターは、界面活性剤成分に添加する前に、最初に組み合わされる。一つの実施形態において、過酸化物組成物は、過酸化水素、ホスホン酸ベースの金属イオン封鎖剤、例えばＨＥＤＰ、および水を含む。様々な成分のそれぞれの量は、本明細書において明記されている通りであり得る。
【００２４】
別の態様において、本発明は、本発明の組成物を基材上または中へ吸収させた基材を備えた物品に関する。本発明の実施形態において、物品は、スポンジ、洗浄パッド、包帯、または繊維を織ったシートもしくは不織シート（またはその他の物品）であり得る。
【００２５】
追加の目的、利点、および新規の特徴は、以下に記載の考察から、当業者にとって明白であろう。
【図面の簡単な説明】
【００２６】
【図１】ｐＨ低下についての本発明の効果を示すグラフである。
【図２】過酸化物の安定性についての本発明の効果を示すグラフである。
【図３ａ】洗浄溶液の濁度についての本発明の効果を示すグラフである。
【図３ｂ】過酸化物の安定性についての本発明の効果を示すグラフである。
【図４ａ】ｐＨ低下についての本発明の効果を示すグラフである。
【図４ｂ】過酸化物の安定性についての本発明の効果を示すグラフである。
【図５】ｐＨ移行についての本発明の効果を示すグラフである。
【図６ａ】洗浄能力についての本発明の効果を示す写真である。
【図６ｂ】洗浄能力についての本発明の効果を示す写真である。
【図６ｃ】洗浄能力についての本発明の効果を示す写真である。
【図７】洗浄効率についての本発明の効果を示すグラフである。
【図８】ｐＨ移行についての本発明の効果を示すグラフである。
【図９】ｐＨ移行についての本発明の効果を示すグラフである。
【図１０】ｐＨ移行についての本発明の効果を示すグラフである。
【発明を実施するための形態】
【００２７】
いかなる特定の理論にも縛られるものではないが、時間に伴って、ならびに周囲条件下の温度および湿度で、界面活性剤成分に対するその酸化攻撃が、過酸化水素と界面活性剤の両方を含有する配合物中で起こると考えられる。反応経路は、配合物のｐＨの低下を引き起こす有機酸種を最終的に形成する、２つ以上のステップを通じて進行すると考えられる。しかし、このプロセスの第１のステップは、配合物中の界面活性剤に対する酸化攻撃から出発すると考えられる。この最初の反応の副生成物は、酸形成を引き起こす有機物の継続的な酸化において、次のステップのための反応物を提供すると考えられる。この攻撃の最初の徴候は、界面活性剤の溶解度における変化の結果として発現する曇りであり、濁度測定を通じて数量化できる。ある少量の界面活性剤が酸化されると、室温では透明度の変化を引き起こさないことがあるが、溶液の曇り点温度では変化が起こる。曇った溶液は、界面活性剤ミセルがもはや存在せず、したがって、洗浄性能が劣化したことを示す。この曇りが形成するのを防ぎ、ｐＨにおける低下を抑制することは、洗浄溶液の性能を保持するために望ましい。
【００２８】
一つの態様において、本発明は、酸化体ベースの溶液における使用のために適切な、酸化攻撃に対して安定化された界面活性剤に関する。一つの実施形態において、本発明は、界面活性剤成分および両親媒性の抗酸化成分を含む、酸化攻撃に対して安定化されたまたは酸化攻撃が抑制された、安定化された界面活性剤組成物に対するものである。本発明の一実施形態において、安定化された界面活性剤組成物は、酸化体成分を含有する洗浄溶液（または配合物）、例えば過酸化水素溶液中に含まれる。
【００２９】
別の態様において、本発明は、酸化体および両親媒性の抗酸化成分を含む、安定化された酸化体組成物に関する。一つの実施形態において、安定化された酸化体組成物は、金属イオン封鎖剤安定剤、例えば、ＨＥＤＰなどのホスホン酸ベースの金属イオン封鎖剤を、さらに含む。一実施形態において、酸化体は、過酸化物、例えば過酸化水素である。本発明の実施形態において、安定化された酸化体組成物は、少なくとも１つの適切な界面活性剤、および任意のその他の一般的な成分（例えば、洗浄配合物中に使用される成分）と組み合わされて、酸化攻撃に対して保護された界面活性剤を有する溶液になる。
【００３０】
別の態様において、本発明は、過酸化物成分、界面活性剤および安定剤を含有する、界面活性剤の酸化攻撃に対して安定化された、過酸化物ベースの洗浄組成物に対する。一つの実施形態において、過酸化物は、過酸化水素である。
【００３１】
洗浄組成物を調製するために使用される過酸化水素は、安定化された過酸化水素溶液の形態であることができ、その溶液は、比較的高い濃度の過酸化水素、例えば、安定化された過酸化水素溶液に基づいて少なくとも約２０ｗｔ％の過酸化水素、および金属イオン封鎖剤、例えばＨＥＤＰなどのホスホン酸ベースの金属イオン封鎖剤を含む。市販の安定化された過酸化水素溶液の例は、Ｐｅｒｏｘｙ−Ｂｌｅｎｄ（登録商標）ＰＢ−３０（ＡｋｚｏＮｏｂｅｌ製）である。一つの実施形態において、安定化された過酸化水素溶液は、界面活性剤と組み合わされる前に、両親媒性の抗酸化成分と組み合わされる。別の実施形態において、界面活性剤は、安定化された過酸化水素溶液と組み合わされる前に、両親媒性の抗酸化成分と組み合わされる。
【００３２】
一つの実施形態において、過酸化物ベースの洗浄組成物は、（１）（ａ）過酸化物成分、（ｂ）過酸化物安定剤成分、（ｃ）両親媒性の抗酸化成分および（ｄ）水を含む水性過酸化物組成物、ならびに（２）界面活性剤成分を含む。
【００３３】
一つの実施形態において、過酸化物ベースの洗浄組成物は、（１）（ａ）過酸化物成分、（ｂ）過酸化物安定剤成分および（ｃ）水を含む水性過酸化物組成物、ならびに（２）（ａ）界面活性剤成分および（ｂ）両親媒性の抗酸化成分を含む、安定化された界面活性剤組成物を含む。
【００３４】
一つの実施形態において、過酸化物安定剤成分は、ホスホン酸ベースの安定剤を含む。用語「ホスホン酸ベースの安定剤」には、構造中に少なくとも１つのホスホン酸基を有する化合物を含むことが意図され、該化合物には、酸の形態の化合物またはそれらの塩のほか、かかる化合物の分解生成物が含まれる。
【００３５】
ホスホン酸ベースの安定剤は、構造中にホスホン酸基を含む、市販の化合物を含むことができる。かかる安定剤の非限定的例としては、ＤＥＱＵＥＳＴ２０１０として市販されている１−ヒドロキシ−１，１−エチリデンジホスホネート、ＤＥＱＵＥＳＴ２０００およびＤＥＱＵＥＳＴ２０００ＬＣとして入手可能なアミノトリ（メチレン−ホスホン酸）；ＤＥＱＵＥＳＴ２００６として入手可能なアミノトリ（メチレン−ホスホン酸）ペンタナトリウム塩；ＤＥＱＵＥＳＴ２０１０として市販されている１−ヒドロキシエチレン−１，１−ジホスホン酸；ＤＥＱＵＥＳＴ２０１６およびＤＥＱＵＥＳＴ２０１６Ｄとして入手可能な１−ヒドロキシエチレン−１，１，−ジホスホン酸テトラナトリウム塩；ＤＥＱＵＥＳＴ２０４１として入手可能なエチレンジアミンテトラ（メチレンホスホン酸）；ＤＥＱＵＥＳＴ２０４６として入手可能なエチレンジアミンテトラ（メチレンホスホン酸）ペンタナトリウム塩；ＤＥＱＵＥＳＴ２０５４として入手可能なヘキサメチレンジアミンテトラ（メチレンホスホン酸）カリウム塩；ＤＥＱＵＥＳＴ２０６０Ｓとして入手可能なジエチレントリアミンペンタ（メチレンホスホン酸）；ＤＥＱＵＥＳＴ２０６６Ａとして入手可能なジエチレントリアミンペンタ（メチレンホスホン酸）トリナトリウム塩；ＤＥＱＵＥＳＴ２０６６として入手可能なジエチレントリアミンペンタ（メチレンホスホン酸）ペンタナトリウム塩；ＤＥＱＵＥＳＴ２０６６Ｃ２として市販されているジエチレントリアミンペンタ（メチレンホスホン酸）ペンタナトリウム塩；ＤＥＱＵＥＳＴ２０９０Ａとして市販されているビス−ヘキサメチレントリアミンペンタ（メチレンホスホン酸）塩化物塩；ＤＥＱＵＥＳＴ  ＳＰＥ９５２８として市販の１−ヒドロキシエチリデン（１，１−ジホスホン酸）のテトラナトリウム塩と、商標名ＤＥＱＵＥＳＴで販売されているその他の材料、特にＤＥＱＵＥＳＴ２０８６、ＤＥＱＵＥＳＴ３０００ＳおよびＤＥＱＵＥＳＴ６００４が挙げられる。
【００３６】
過酸化物組成物は、洗浄溶液全体に基づいて約０．１〜約２０ｗｔ％、より好ましくは約０．３〜約１５ｗｔ％、最も好ましくは約０．５〜約８ｗｔ％の過酸化水素初期濃度を有する洗浄溶液を生成する量で、有機界面活性剤もまた含有する溶液（例えば洗浄溶液）に、好ましくは添加される。
【００３７】
洗浄溶液は、過酸化水素溶液を、少なくとも１つの界面活性剤、水、および洗浄溶液のｐＨを少なくとも６にする量のアルカリ剤と組み合わせることによって、好ましくは調製される。
【００３８】
界面活性剤は、非イオン性、カチオン性、アニオン性、両性、双性イオン性、およびそれらの組合せからなる群から選択される種類であり得ることが考えられる。界面活性剤は、溶液、例えば洗浄溶液の総重量に基づいて、適切には約０．１〜約１５ｗｔ％、好ましくは約０．３〜約１０ｗｔ％、より好ましくは約０．５〜約８ｗｔ％の量で、存在する。
【００３９】
一つの実施形態において、界面活性剤は、好ましくは、非イオン性、カチオン性、およびそれらの組合せからなる群から選択される種類である。一般的に、いずれの非イオン性界面活性剤材料も、本発明の組成物中に使用されてよい。実際に、カルボキシ、ヒドロキシ、アミド、または窒素に結合したフリーの水素を有するアミノ基を有するいずれの疎水性化合物も、酸化アルキレン、特に酸化エチレンと共に、またはその多水和物であるポリアルキレングリコール、特にポリエチレングリコールと共に縮合されて、水溶性または水分散性の非イオン性界面活性剤化合物を形成することができる。非限定的例として、本発明において使用してもよい適切な非イオン性界面活性剤としては、アルキルフェノールのポリアルキレンオキシド縮合物；脂肪族アルコールの、酸化アルキレン、例えば酸化エチレンとの縮合生成物；一級ならびに二級の直鎖および分枝アルコールエトキシレート；ならびにアルコキシブロックコポリマー、特にエトキシ／プロポキシブロックコポリマーをベースとする化合物が挙げられる。適切な市販の非イオン性界面活性剤の例としては、Ｂｅｒｏｌ（登録商標）２６０、Ｂｅｒｏｌ（登録商標）５０５、およびＢｅｒｏｌ（登録商標）５０８の商標名で（全てＡｋｚｏＮｏｂｅｌ製）販売されている界面活性剤が挙げられる。
【００４０】
界面活性剤は、分子の親水性部分の電荷が正である場合、カチオン性と考えることができる。親水部が、ｐＨが中性近くまたは中性より下まで低下されないと電荷を帯びないが、そのようにするとカチオン性になる界面活性剤（例えばアルキルアミン）もまた、この群に含まれる。適切なカチオン性界面活性剤は、当業者によって容易に決定できる。非限定的例として、適切なカチオン性界面活性剤は、少なくとも１つの長い炭素鎖の疎水性基および少なくとも１つの正の電荷を持っている窒素を含有する化合物を含むことができる。その上、適切なカチオン性界面活性剤は、１個を超えるカチオン性窒素原子を有する錯体結合を含有してよい。カチオン性界面活性剤は、四級アンモニウム界面活性剤、例えば殺生物性の四級アンモニウム化合物（獣脂アミンエトキシレート四級アンモニウム化合物などの獣脂四級アンモニウム界面活性剤など）を含むことができる。本発明に適切な１つのカチオン性界面活性剤は、商標名Ｂｅｒｏｌ（登録商標）５６３ＳＡで（ＡｋｚｏＮｏｂｅｌ製）販売されている。非イオン性とカチオン性の界面活性剤のブレンドもまた、考えられる。かかるブレンドの例としては、商標名Ｂｅｒｏｌ（登録商標）２２６ＳＡおよびＢｅｒｏｌ（登録商標）ＥＺ−１で（ＡｋｚｏＮｏｂｅｌ製）販売されている界面活性剤が挙げられる。
【００４１】
別の実施形態において、界面活性剤は、アニオン性界面活性剤である。一般的に、いずれのアニオン性界面活性剤材料も、本発明の組成物において使用されてよい。非限定的例として、適切なアニオン性界面活性剤としては、以下の化合物（直鎖および二級）の１つまたは複数の、アルカリ金属塩、アンモニウム塩、アミン塩、またはアミノアルコール塩が挙げられる：アルコールサルフェートおよびスルホネート、アルコールホスフェートおよびホスホネート、アルキルサルフェート、アルキルエーテルサルフェート、アルキルフェノキシポリオキシエチレンエタノールのサルフェートエステル、アルキルモノグリセリドサルフェート、アルキルスルホネート、オレフィンスルホネート、パラフィンスルホネート、β−アルコキシアルカンスルホネート、アルキルアミドエーテルサルフェート、アルキルアリールポリエーテルサルフェート、モノグリセリドサルフェート、アルキルエーテルスルホネート、エトキシ化アルキルスルホネート、アルキルアリールスルホネート、アルキルベンゼンスルホネート、アルキルアミドスルホネート、アルキルモノグリセリドスルホネート、アルキルカルボキシレート、アルキルスルホアセテート、アルキルエーテルカルボキシレート、酸化エチレン１〜５モルを有するアルキルアルコキシカルボキシレート、アルキルスルホサクシネート、アルキルエーテルスルホサクシネート、アルキルアミドスルホサクシネート、アルキルスルホサクシナメート、オクトキシノールまたはノノキシノールホスフェート、アルキルホスフェート、アルキルエーテルホスフェート、タウレート、Ｎ−アシルタウレート、脂肪酸タウリド、脂肪酸アミドポリオキシエチレンサルフェート、イセチオネート、アシルイセチオネート、およびサルコシネート、アシルサルコシネート、またはそれらの混合物。一般的に、これらの多様な化合物中のアルキルまたはアシルラジカルは、１２〜２０個の炭素原子を含有する炭素鎖を含むことができる。本発明に適切な具体的なアニオン性界面活性剤の例としては、商標名Ｐｅｔｒｏ  ＢＡ、Ｐｅｔｒｏ  ＡＡおよびＰｅｔｒｏ  ＵＬＦで（ＡｋｚｏＮｏｂｅｌ製）販売されている、ナトリウムキシレンスルホネート界面活性剤およびナフタレンスルホネート界面活性剤が挙げられる。一つの実施形態において、Ｐｅｔｒｏ  ＡＡなどのアニオン性界面活性剤は、フェニルスルホン構造を有する。別の実施形態において、ＮＡＳ−８（ＡｋｚｏＮｏｂｅｌ製）などのアニオン性界面活性剤は、アルキルスルホネート構造を有する。
【００４２】
一実施形態において、両親媒性の抗酸化成分は、少なくとも１つの両親媒性の抗酸化剤を含む。両親媒性の抗酸化剤は、抗酸化またはラジカル捕捉の特性を有する親水性の頭部、および疎水性の尾部を有する界面活性剤様化合物／分子を意味する。一実施形態において、両親媒性の抗酸化剤は、洗浄組成物中に存在する界面活性剤の少なくとも１つによって、ミセル中に自己集合できるような種類および量である。
【００４３】
両親媒性の抗酸化剤化合物／分子構造は、多様であり得るが、ただし、その構造は、洗浄溶液中に含有される界面活性剤と比較して、抗酸化剤を、溶液中に存在する酸化体による攻撃に優先的に曝されるようにする、抗酸化またはラジカル捕捉の特性を有する。
【００４４】
両親媒性の抗酸化剤化合物／分子の一般的な構造は、下に図示され、Ｒ１は、親水性の頭部基であり、Ｒ２は、疎水性の尾部である。
【００４５】
【化１】
2014513160.tif 000002
【００４６】
Ｒ１は、適切なラジカル捕捉能力もまた有する極性の頭部配置のいずれかの基から選択できる。Ｒ１は、高度に極性または親水性である部分のほか、アルキル鎖を含有し、より親水性でない部分からも選択できるが、ただし、Ｒ１は、酸化体による界面活性剤の攻撃から保護するまたは攻撃を抑制する適切なラジカル捕捉機能性を提供する。
【００４７】
本発明の実施形態において、Ｒ１のための有用な構造の例は、以下の通りである：
【００４８】
【化２】
2014513160.tif 000003
式中、Ｘ１からＸ５は、Ｈ、ＯＨ、ＣＨ３、またはそれらのいずれかの組合せであり得る。本発明の実施形態において、Ｏは、共鳴環状構造にＣＨ３基を連結するのに使用されてもよい。一つの実施形態において、ＯＨ基は、Ｘ１、Ｘ３およびＸ５の位置にある。
【００４９】
または：
【００５０】
【化３】
2014513160.tif 000004
式中、Ｒ１は、化学式中に示されている炭素１と２の間の二重結合もしくは３の位置に記された炭素に付くペンダント酸素のいずれかまたはＲ１の構造を構成する両方の組合せを任意に含有する延長部と共に、前に記した配置を有することもできる。Ｘ１からＸ５は、上に記載された通りであり得る。
【００５１】
その他の実施形態において、Ｒ１は、例えば以下の構造などの、ラジカル捕捉または抗酸化作用を示すその他の極性頭部基配置を含むことができる：
【００５２】
【化４】
2014513160.tif 000005
【００５３】
さらなるその他の実施形態において、ラジカル捕捉または抗酸化作用を有するその他の官能頭部基としては、例えば以下の構造を有するビタミンＥなどの天然ビタミンに一般的である複素環分類を含む：
【００５４】
【化５】
2014513160.tif 000006
式中、Ｘ１、Ｘ２、Ｘ３およびＸ４は、Ｈ、ＯＨもしくはＣＨ３、または分子の抑制性能を可能にするのに役立つそれらのいずれかの組合せであり得る。
【００５５】
本発明の実施形態において、２つを超える環が使用されてもよい。実施形態において、少なくとも１つの環は、共鳴構造であり得る。本発明の実施形態において、環は、完全な飽和または共鳴構造（例えばベンゼン環）までの不飽和である、六員または五員環であってよい。
【００５６】
その他の実施形態において、Ｒ１は、例えば以下の構造のビタミンＫ１の活性末端の構造を有することができる：
【００５７】
【化６】
2014513160.tif 000007
式中、Ｘ１、Ｘ２、Ｘ３、Ｘ４およびＸ５は、Ｈ、Ｏ、ＣＨ３、またはそれらのいずれかの組合せであり得る。
【００５８】
さらなるその他の実施形態において、Ｒ１は、例えば以下の構造の、リポ酸中に見出される極性構造を有することができる：
【００５９】
【化７】
2014513160.tif 000008
【００６０】
または、Ｒ１は、例えば以下の構造の、アスコルビン酸もしくはビタミンＣ中に見出される構造を有することができる：
【００６１】
【化８】
2014513160.tif 000009
【００６２】
本発明の実施形態において、没食子酸部分は、例えば以下の構造の、親水性の頭部基と抗酸化剤構造の両方として働くことができる官能基の別の例である：
【００６３】
【化９】
2014513160.tif 000010
【００６４】
または、以下の構造：
【００６５】
【化１０】
2014513160.tif 000011
式中、Ｘ１、Ｘ２、Ｘ３、Ｘ４およびＸ５は、Ｈ、Ｏ、ＣＨ３、またはそれらのいずれかの組合せであり得る。
【００６６】
抗酸化特性を有する親水性の頭部基Ｒ１に対する本発明の要求を満たすことができる官能基の種類の前の記載およびリストは、単に代表的なものであり、本発明の範囲を限定することを意図しない。リスト以外の構造も、本発明の頭部基について記載された意図される役割を満たすことができることは、当業者によって理解される。
【００６７】
本発明の実施形態において、Ｒ２基または疎水性の尾部は、単純な直鎖の脂肪族鎖から、場合によって二重結合を有する複雑な分枝の配置まで、様々な配置を含むことができ、疎水性のレベル全体を著しく低下させない。
【００６８】
本発明の実施形態において、Ｒ２は、Ｃ４〜Ｃ２０、またはＣ４〜Ｃ１６、またはＣ６〜Ｃ１４の範囲内の炭素原子数を有する構造であり得る。
【００６９】
Ｒ２のためのいくつかの非限定的例としては、以下が挙げられる：
【００７０】
【化１１】
2014513160.tif 000012
【００７１】
Ｒ２疎水性の尾部のために使用できるその他の構造または配置があることは、当業者によって理解される。
【００７２】
一つの実施形態において、（１つまたは複数の）両親媒性の（または界面活性剤様）分子は、植物および動物の組織中に見出されるものなどの天然に存在する化合物から選択できる。かかる化合物の例としては、カテコール、カテキン、フラバノイド、フラバノール、またはタンニンを含む、化合物、化合物の族、および化合物のクラスが挙げられる。追加の例としては、ユビキノール、補酵素Ｑ−１２およびＱ−１０、尿酸、メチオニン、グルタチオン、チモール、カルバクロール、オイゲノール、さらに、水溶性および脂溶性ビタミンが挙げられる。
【００７３】
一つの実施形態において、両親媒性の抗酸化剤は、α−トコフェロールまたはその誘導体である。別の実施形態において、両親媒性の抗酸化成分は、少なくとも２つの両親媒性の抗酸化剤を含み、α−トコフェロールは、主要な（すなわち大部分の）両親媒性の抗酸化剤である。その他の実施形態において、両親媒性の抗酸化剤は、β、δもしくはγ−トコフェロール、それらのそれぞれの誘導体およびそれらの組合せ、またはα−トコフェロールもしくはその誘導体との組合せから選択できる。
【００７４】
本発明の一つの実施形態において、両親媒性の抗酸化成分は、少なくとも１つの両親媒性の抗酸化剤および少なくとも１つの抗酸化剤ブースターを含み、両親媒性の抗酸化剤と抗酸化剤ブースターのモル比は、少なくとも１：１である。一実施形態において、抗酸化剤ブースターは、抗酸化またはラジカル捕捉の特性を有する少なくとも１つの親水性化合物を含む。実施形態において、両親媒性の抗酸化剤と抗酸化剤ブースターの比は、材料の重量に基づいて、少なくとも２：１、または少なくとも３：１、または少なくとも５：１である。本発明の実施形態において、抗酸化剤ブースターは、下に示された通りの構造を有する親水性の有機化合物を含む：
Ｒ３−Ｒ４
式中、Ｒ３は五または六員環であり；六員環の員は全てＣであるか、または任意に環の員の１つはＮであり、１個のＣは置換基として−Ｒ４を有し、その他の炭素環の員は−Ｈ、−ＯＨ、−ＯＣＨ３から選択される置換基を有することができ；五員環の員は全てＣであるか、または任意に環の２個までの員はＳであり、１個のＣは置換基として−Ｒ４を有し、その他の環の員は置換基として−Ｈのみを有し；Ｒ４は、Ｃ１〜Ｃ５の長さおよび少なくとも１つのカルボン酸官能基を有する炭素鎖である。一つの実施形態において、Ｒ４は、鎖上の末端基である１つのカルボン酸官能基を有する。
【００７５】
一つの実施形態において、上の式を有する抗酸化剤ブースターは、全部で６〜１０個の炭素原子および全部で２〜６個の酸素原子を含有する、Ｃ１〜Ｃ５の長さを有する炭素鎖尾部を有し、１２０〜２２５ｇ／ｍｏｌの範囲内の分子量を有する。
【００７６】
一つの実施形態において、抗酸化剤ブースターは、リポ酸、コーヒー酸、ケイ皮酸、ニコチン酸、ピコリン酸、フェルラ酸、クマル酸、それらの誘導体、およびそれらの組合せから選択される。
【００７７】
その上、上に言及された両親媒性の（または界面活性剤様）分子の組合せは、両親媒性の抗酸化成分中に含まれることができる。一つの実施形態において、両親媒性の抗酸化成分は、（両親媒性の抗酸化剤としての）α−トコフェロール、および（抗酸化剤ブースターとしての）ピコリン酸を含む。一つの実施形態において、α−トコフェロールは、界面活性剤の量に基づいて約０．５〜約２０ｗｔ％の量で存在し、ピコリン酸は、α−トコフェロールの量に基づいて約０．５〜約２０ｗｔ％の量で存在する。一つの実施形態において、α−トコフェロールは、界面活性剤の量に基づいて約１．０〜約１０ｗｔ％の量で存在し、リポ酸は、α−トコフェロールの量に基づいて約１．０〜約１０ｗｔ％の量で存在する。一実施形態において、α−トコフェロールは、界面活性剤の量に基づいて約１．５〜約６ｗｔ％の量で存在し、ピコリン酸は、α−トコフェロールの量に基づいて約１．５〜６ｗｔ％の量で存在する。
【００７８】
本発明の組成物／配合物中に存在し得るある種の任意の構成物は、ｐＨ調整剤および／またはｐＨ緩衝剤である。かかるｐＨ緩衝剤は、当技術にとって既知であり、硬質表面洗浄用および／または硬質表面殺菌用組成物中に従来から使用されている多くの材料を含む。非限定的例として、ｐＨ調整剤としては、リン酸含有化合物、ケイ酸塩、炭酸塩およびホウ酸塩などの一価および多価の塩、ある種の酸および塩基、酒石酸塩、ならびにある種の酢酸塩が挙げられる。さらなる代表的なｐＨ調整剤としては、鉱酸、塩基組成物および有機酸が挙げられ、典型的には、ほんの少量が必要とされる。さらなる非限定的例として、ｐＨ緩衝組成物としては、アルカリ金属ホスフェート、ポリリン酸塩、ピロリン酸塩、トリホスフェート、テトラホスフェート、ケイ酸塩、メタケイ酸塩、ポリケイ酸塩、炭酸塩、水酸化物、およびそれらの混合物が挙げられる。アルカリ土類ホスフェート、炭酸塩、水酸化物などのある種の塩は、緩衝剤としてもまた機能できる。アルミノケイ酸塩（ゼオライト）、ホウ酸塩、アルミン酸塩のような材料、ならびにグルコン酸塩、コハク酸塩、マレイン酸塩、およびそれらのアルカリ金属塩などのある種の有機材料を、緩衝剤として使用することもまた、適切であり得る。ｐＨ調整剤および／またはｐＨ緩衝剤は、存在する場合、目標のｐＨ範囲内に本発明の組成物のｐＨを維持するために、有効な量で存在する。
【００７９】
適切なビルダーの例としては、塩化ナトリウム、ＥＤＴＡ、ＧＬＤＡ、および多様な生分解性キレート剤が挙げられる。一つの実施形態において、ビルダーは、有機および無機の塩からなる群から選択される。実施形態において、ビルダーとしては、塩化ナトリウムおよびＧＬ−３８Ｓ（ＡｋｚｏＮｏｂｅｌ製）などの生分解性キレートを挙げることができる。
【００８０】
本発明の実施形態において、本発明の両親媒性の抗酸化成分を含有する溶液（または組成物）は、有機酸過酸化物前駆物質を、０．０５ｗｔ％未満もしくは０．０２５ｗｔ％未満を含有するか、または含有しない。
【００８１】
下に明記される実施例は、例証を目的としたもので、本発明の現在における最良の態様の実施形態を説明するためのものである。本発明の範囲は、下に明記される実施例によって、決して限定されない。
【実施例】
【００８２】
以下の実施例は、本発明の好ましい実施形態を例証するために実行されたものである。これらの実施例は、洗浄溶液の調製および試験溶液に対して実施される安定性試験を含む。
【００８３】
全ての配合物を、マグネチックミキサーおよび撹拌子を使用して、室温で、脱イオン水を用いて作った。「安定性％」は、記載されたストレス試験後に残る過酸化水素のパーセンテージとして定義される。９６℃で１６時間および９４℃で２４時間の両方が、室温で１年後のこれらの配合物について予想され得る作用をシミュレートする。９４℃で７日間使用する試験は、特に厳しく、本発明の頑健性を示している。
【００８４】
比較例１
洗浄配合物を、以下の通り調製した。２５０ｍｌビーカーに、脱イオン水８４グラムを入れ、非イオン性／カチオン性界面活性剤ブレンド（Ｂｅｒｏｌ（登録商標）２２６ＳＡ）５グラムを、持続的に混合しながら添加した。この混合物に、また持続的に混合しながら、ホスホネート安定剤（Ｐｅｒｏｘｙ−Ｂｌｅｎｄ（登録商標）ＰＢ３３）によって安定化された、安定化過酸化水素１０グラムを添加した。腐食剤を添加して、混合物のｐＨを７にした。最後に、少量の脱イオン水を添加して、総量を１００グラムにした。結果として生じた水性洗浄配合物は、界面活性剤ブレンド約５ｗｔ％、過酸化水素約３．３ｗｔ％、およびホスホネート安定剤約０．０５％〜約１％を含有していた。
【００８５】
比較例２
工業用過酸化水素（３５ｗｔ％）を、過酸化水素の供給源として使用したことを除いて、比較例１と同様の方法で、第二の洗浄配合物を調製した。結果として生じた水性洗浄配合物は、界面活性剤ブレンド約５ｗｔ％および過酸化水素約３．５ｗｔ％を含有していた。
【００８６】
実施例１
全洗浄配合物に基づいて１９０９：９１ｐｐｍの比のα−トコフェロール／リポ酸からなる、両親媒性の抗酸化剤と抗酸化剤ブースターのブレンドを、（腐食剤によって）ｐＨ７に調整する前に添加したことを除いて、比較例１と同様の方法で、洗浄配合物を調製した。
【００８７】
実施例２
全洗浄配合物に基づいて１９０９：９１ｐｐｍの比のα−トコフェロール／リポ酸からなる、両親媒性の抗酸化剤と抗酸化剤ブースターのブレンドを、（腐食剤によって）ｐＨ７に調整する前に添加したことを除いて、比較例２と同様の方法で、洗浄配合物を調製した。
【００８８】
実施例３
比較例１および２、ならびに実施例１および２による洗浄配合物をそれぞれ、高温に晒して、９４℃、２４時間で経年化させ、その後、ｐＨの変化について測定した。結果を下の表１および図１に示す。
【００８９】
【表１】
2014513160.tif 000013
【００９０】
表１および図１を検討すると、両親媒性の抗酸化剤と抗酸化剤ブースターのブレンドの添加が、ｐＨ低下を減少させることが明らかである。ホスホネート安定剤の存在もまた、ｐＨ低下の減少に貢献した。最良の結果は、両親媒性の抗酸化剤／ブースターパッケージとホスホネート安定剤との両方の相乗的組合せから見られる。
【００９１】
比較例３
洗浄配合物を、以下の通り調製した。２５０ｍｌビーカーに、脱イオン水３０グラムを入れ、ホスホネート安定剤（Ｐｅｒｏｘｙ−Ｂｌｅｎｄ（登録商標）ＰＢ３１）によって安定化された、安定化過酸化水素５５グラムを、持続的に混合しながら添加した。この混合物に、また持続的に混合しながら、非イオン性界面活性剤（Ｂｅｒｏｌ（登録商標）５０８）７グラムを添加した。腐食剤を添加して、混合物のｐＨを４にした。最後に、少量の脱イオン水を添加して、総量を１００グラムにした。次に、この溶液を、脱イオン水によって１：７で希釈し、次に、腐食剤を添加して、ｐＨを７にした。結果として生じた水性洗浄配合物は、界面活性剤ブレンド約１ｗｔ％、過酸化水素約２．５ｗｔ％、およびホスホネート安定剤約０．０５％〜約１％を含有していた。
【００９２】
比較例４
１：７で希釈された配合物に基づいてＢＨＴ（ブチル化ヒドロキシトルエン）４００ｐｐｍを、ｐＨ７に調整する前に添加したことを除いて、比較例３と同様の方法で、洗浄配合物を調製した。
【００９３】
実施例４
１：７で希釈された配合物に基づいて３８４：１６ｐｐｍの比のα−トコフェロール／コーヒー酸からなる、両親媒性の抗酸化剤と抗酸化剤ブースターのブレンドを、ｐＨ７に調整する前に添加したことを除いて、比較例３と同様の方法で、洗浄配合物を調製した。
【００９４】
比較例５
洗浄配合物を、以下の通り調製した。２５０ｍｌビーカーに、脱イオン水３０グラムを入れ、ホスホネート安定剤（Ｐｅｒｏｘｙ−Ｂｌｅｎｄ（登録商標）ＰＢ３１）によって安定化された、安定化過酸化水素５５グラムを、持続的に混合しながら添加した。この混合物に、また持続的に混合しながら、非イオン性界面活性剤（Ｂｅｒｏｌ（登録商標）５０８）７グラムおよびアニオン性界面活性剤（ＮＡＳ−８）３グラムを添加した。腐食剤を添加して、混合物のｐＨを４にした。最後に、少量の脱イオン水を添加して、総量を１００グラムした。次に、この溶液を、脱イオン水によって１：７で希釈し、次に、腐食剤を添加して、ｐＨを７にした。結果として生じた水性洗浄配合物は、非イオン性界面活性剤約１ｗｔ％、アニオン性界面活性剤約０．４３％、過酸化水素約２．５％、およびホスホネート安定剤約０．０５％〜約１％を含有していた。
【００９５】
比較例６
１：７で希釈された配合物に基づいてＢＨＴ（ブチル化ヒドロキシトルエン）４００ｐｐｍを、ｐＨ７に調整する前に添加したことを除いて、比較例５と同様の方法で、洗浄配合物を調製した。
【００９６】
実施例５
１：７で希釈された配合物に基づいて３８４：１６ｐｐｍの比のα−トコフェロール／コーヒー酸からなる、両親媒性の抗酸化剤と抗酸化剤ブースターのブレンドを、ｐＨ７に調整する前に添加したことを除いて、比較例５と同様の方法で、洗浄配合物を調製した。
【００９７】
実施例６
添加物を伴った上の配合物の多様な組合せは、９４℃で７日間、加速された経年化に晒された後で、濁度および過酸化水素安定性について測定された。濁度および安定性についての結果を表２に示す。安定性についての結果は、図２にもグラフとして示す。
【００９８】
【表２】
2014513160.tif 000014
【００９９】
表２および図２を検討すると、本発明による洗浄配合物は、ＢＨＴを添加した配合物より優れていることが明らかである。
【０１００】
比較例７
洗浄配合物を、以下の通り調製した。２５０ｍｌビーカーに、脱イオン水３０グラムを入れ、ホスホネート安定剤（Ｐｅｒｏｘｙ−Ｂｌｅｎｄ（登録商標）ＰＢ３１）によって安定化された、安定化過酸化水素５５グラムを、持続的に混合しながら添加した。この混合物に、また持続的に混合しながら、非イオン性界面活性剤（Ｂｅｒｏｌ（登録商標）５０８）７グラムを添加した。腐食剤を添加して、混合物のｐＨを４にした。最後に、少量の脱イオン水を添加して、総量を１００グラムにした。次に、この溶液を、脱イオン水によって１：７で希釈し、次に、腐食剤を添加して、ｐＨを７にした。結果として生じた水性洗浄配合物は、界面活性剤ブレンド約１ｗｔ％、過酸化水素約２．５％、およびホスホネート安定剤約０．０５％〜約１％を含有していた。
【０１０１】
比較例８
非イオン性界面活性剤１％、過酸化水素約２．５％、およびホスホネート安定剤約０．０５％〜１％を含有する希釈溶液に基づいて、ケイ皮酸１３ｐｐｍを添加したことを除いて、比較例７と同様の方法で、洗浄配合物を調製した。
【０１０２】
比較例９
非イオン性界面活性剤１％、過酸化水素約２．５％、およびホスホネート安定剤約０．０５％〜１％を含有する希釈溶液に基づいて、コーヒー酸１６ｐｐｍを添加したことを除いて、比較例７と同様の方法で、洗浄配合物を調製した。
【０１０３】
実施例７
非イオン性界面活性剤１％、過酸化水素約２．５％、およびホスホネート安定剤約０．０５％〜１％を含有する希釈溶液に基づいて、α−トコフェロール４００ｐｐｍを添加したことを除いて、比較例７と同様の方法で、洗浄配合物を調製した。
【０１０４】
実施例８
非イオン性界面活性剤１％、過酸化水素約２．５％、およびホスホネート安定剤約０．０５％〜１％を含有する希釈溶液に基づいて、３８７：１３ｐｐｍの比のα−トコフェロール／ケイ皮酸からなる両親媒性の抗酸化剤と抗酸化剤ブースターのブレンドを添加したことを除いて、比較例７と同様の方法で、洗浄配合物を調製した。
【０１０５】
実施例９
非イオン性界面活性剤１％、過酸化水素約２．５％、およびホスホネート安定剤約０．０５％〜１％を含有する希釈溶液に基づいて、３８４：１６ｐｐｍの比のα−トコフェロール／コーヒー酸からなる両親媒性の抗酸化剤と抗酸化剤ブースターのブレンドを添加したことを除いて、比較例７と同様の方法で、洗浄配合物を調製した。
【０１０６】
実施例１０
上の多様な配合物は、９４℃で７日間、加速された経年化に晒された後で、濁度および過酸化水素安定性について測定された。結果を表３ならびに図３ａおよび３ｂに示す。
【０１０７】
【表３】
2014513160.tif 000015
【０１０８】
表３ならびに図３ａおよび３ｂを検討すると、ポリフェノール抗酸化剤を、両親媒性のα−トコフェロール（ビタミンＥ）抗酸化剤と組み合わせることによる相乗効果があることが明らかである。
【０１０９】
比較例１０
洗浄配合物を、以下の通り調製した。２５０ｍｌビーカーに、脱イオン水８４グラムを入れ、非イオン性／カチオン性界面活性剤ブレンド（Ｂｅｒｏｌ（登録商標）２２６ＳＡ）５グラムを、持続的に混合しながら添加した。この混合物に、また持続的に混合しながら、ホスホネート安定剤（Ｐｅｒｏｘｙ−Ｂｌｅｎｄ（登録商標）ＰＢ３３）によって安定化された、安定化過酸化水素１０グラムを添加した。腐食剤を添加して、混合物のｐＨを７にした。最後に、少量の脱イオン水を添加して、総量を１００グラムにした。結果として生じた水性洗浄配合物は、界面活性剤ブレンド約５ｗｔ％、過酸化水素約３．３ｗｔ％、およびホスホネート安定剤約０．０５％〜約１％を含有していた。
【０１１０】
実施例１１
全洗浄配合物に基づいて１９６６：３４ｐｐｍの比のα−トコフェロール／ケイ皮酸からなる、両親媒性の抗酸化剤と抗酸化剤ブースターのブレンドを、（腐食剤によって）ｐＨ７に調整する前に添加したことを除いて、比較例１０と同様の方法で、洗浄配合物を調製した。
【０１１１】
実施例１２
全洗浄配合物に基づいて１９５９：４１ｐｐｍの比のα−トコフェロール／コーヒー酸からなる、両親媒性の抗酸化剤と抗酸化剤ブースターのブレンドを、（腐食剤によって）ｐＨ７に調整する前に添加したことを除いて、比較例１０と同様の方法で、洗浄配合物を調製した。
【０１１２】
実施例１３
比較例１０、ならびに実施例１１および１２による洗浄配合物をそれぞれ、９４℃で２４時間、高温の経年化に晒し、次に、ｐＨおよび過酸化水素安定性の変化について測定した。結果を下の表４ならびに図４ａおよび４ｂに示す。
【０１１３】
【表４】
2014513160.tif 000016
【０１１４】
表４ならびに図４ａおよび４ｂを検討すると、本発明の洗浄配合物は、ｐＨの変化（はるかに低い）と過酸化水素安定性（ストレス後、より多く残る）の両方に非常に肯定的な影響を引き起こすことが明らかである。非イオン性と非イオン性／アニオン性との両方の界面活性剤系にとって有効であるのに加えて、本発明は、非イオン性／カチオン性系にも同様に有効である。
【０１１５】
実施例１４
本発明の洗浄溶液および対照用洗浄溶液を、加速された経年化に晒し、洗浄性能における変化についての試験を受けさせることによって、本発明の洗浄溶液について、洗浄性能を評価した。全ての試験試料のための出発溶液を、Ｂｅｒｏｌ（登録商標）２２６ＳＡを５％およびＰｅｒｏｘｙ−Ｂｌｅｎｄ（登録商標）ＰＢ３３を１０％含有した比較例１と同様に調製し、腐食剤によってｐＨ９．５に調整した。
【０１１６】
出発溶液を水によって１：５に希釈することによって、対照例を調製して、界面活性剤１％を有する洗浄溶液を生成し、次にｐＨを７に調整した。ｐＨ７は、系の安定性に対するより厳しい課題を提供するために選択された。
【０１１７】
１０：１の比のα−トコフェロールとピコリン酸との混合物２０００ｐｐｍ一回分を、出発溶液に添加することによって（試験試料１）、および１５００：５００：１００の比のα−トコフェロールとレシチンとピコリン酸との混合物２０００ｐｐｍ一回分を、出発溶液に添加することによって（試験試料２）、試験試料を調製した。試験溶液は両方とも、対照例と同様に、希釈し、ｐＨを７に調整した。
【０１１８】
洗浄性能を、以下の通り試験した。加速された経年化は、９４℃で２４時間とし、試験溶液を、加速された経年化の前および後で（上に述べた通り）１：５に希釈して注ぎ込み用溶液を作製し、注ぎ込み用溶液を、白く塗られた鋼板上の機関車用グリース上に注ぎ、表面反射率を、輝度計を使用して測定した。洗浄効率のＡＳＴＭ  Ｄ−４４８８の規定を適用して、性能を評価した。
【０１１９】
ｐＨの変化は、加速された経年化の前および後で測定された。結果を図５に示す。図５を検討すると、ｐＨが、試験試料１および２と比較して、対照例においてはるかに大きく低下したことが明らかである。
【０１２０】
注ぎ込み試験の結果を、図６ａ〜６ｃに示す。それぞれの図において、経年化前の試験は左に、経年化後は右に示されている。図を検討すると、対照例は、加速された経年化後に、グリースを有効に除去しなかったことが明らかである。これに対し、試験試料１と２は両方とも、加速された経年化後においても有効であった。
【０１２１】
ＡＳＴＭ  Ｄ−４４８８による数量化された洗浄試験結果を、図７に示す。図７を検討すると、対照例は、洗浄能力において有意に低下したが、試験試料１および２は、加速された経年化後、洗浄能力を維持したことが明らかである。
【０１２２】
実施例１５
希釈しなかったことを除いて、比較例１と同様の方法で、非イオン性／カチオン性界面活性剤ブレンドを有する洗浄配合物を調製した。配合物は、Ｂｅｒｏｌ（登録商標）２２６ＳＡを５％およびＰｅｒｏｘｙ−Ｂｌｅｎｄ（登録商標）ＰＢ３３を１０％含有し、腐食剤によってｐＨ７に調整された（ＰＢ３３配合物）。α−トコフェロールと様々な親水性の抗酸化剤の様々なブレンド（α−トコフェロール：親水性の抗酸化剤、２０：１のモル比）を、ｐＨ７に調整する前に、それぞれの試験配合物に添加したことを除いて、上と同様に、４つの追加の試験配合物を調製した。添加されたブレンドは、以下の通りだった：全て全洗浄配合物に基づいて、１）α−トコフェロール：リポ酸、比２９３：７ｐｐｍ、２）α−トコフェロール：アスコルビン酸、比２９４：６ｐｐｍ、３）α−トコフェロール：ケイ皮酸、比２９５：５ｐｐｍ、および４）α−トコフェロール：コーヒー酸、比２９４：６ｐｐｍ。
【０１２３】
洗浄配合物をそれぞれ、９４℃で２４時間の高温の経年化、および周囲温度（平均温度、およそ２０℃）で１年間の経年化に晒し、次に、ｐＨの変化について測定した。結果を下の図８に示す。
【０１２４】
図８を検討すると、本発明によるα−トコフェロールと抗酸化剤ブースターとのブレンドを添加すると、実時間の経年化におけるｐＨ低下を有意に減少させることが明らかである。
【０１２５】
実施例１６
配合物が、Ｂｅｒｏｌ（登録商標）５０８を７％およびＰｅｒｏｘｙ−Ｂｌｅｎｄ（登録商標）ＰＢ３１を５４％含有し、腐食剤によってｐＨ７に調整され、次に、水によって１：７に希釈されて、最終界面活性剤濃度約１％を有したことを除いて、比較例１と同様の方法で、非イオン性界面活性剤を有する洗浄配合物を調製した（ＰＢＸ配合物）。様々な抗酸化剤および抗酸化剤のブレンドを、ｐＨ７に調整し、水によって希釈する前に、それぞれの試験配合物に添加したことを除いて、上と同様に、５つの追加の試験配合物を調製した。添加されたα−トコフェロール：ブースターブレンドは、以下の通りだった：全て全洗浄配合物に基づいて、１）α−トコフェロール４００ｐｐｍ、２）α−トコフェロール：ケイ皮酸、比３８７：１３ｐｐｍ、３）α−トコフェロール：コーヒー酸、比３８４：１６ｐｐｍ、および４）ケイ皮酸１３ｐｐｍ、および５）コーヒー酸１６ｐｐｍ。
【０１２６】
洗浄配合物をそれぞれ、９４℃で２４時間の高温の経年化、および周囲温度（平均温度、およそ２０℃）で１年間の経年化に晒し、次に、ｐＨの変化について測定した。結果を下の図９に示す。
【０１２７】
図９を検討すると、本発明によるα−トコフェロールと抗酸化剤ブースターとのブレンド（すなわち、上に記載されたブレンド２）および３））を添加すると、ｐＨ低下防止における相乗的改善を示したことが明らかである。
【０１２８】
実施例１７
配合物が、Ｂｅｒｏｌ（登録商標）５０８を７％、ＮＡＳ−８を３％、およびＰｅｒｏｘｙ−Ｂｌｅｎｄ（登録商標）ＰＢ３１を５４％含有し、腐食剤によってｐＨ７に調整され、次に、水によって１：７に希釈されて、最終界面活性剤濃度、約１．４％を有したことを除いて、実施例１６と同様の方法で、非イオン性／アニオン性界面活性剤ブレンドを有する洗浄配合物を調製した（ＰＢＸ配合物）。α−トコフェロールと抗酸化剤ブースターとの様々なブレンドを、ｐＨ７に調整し、水によって希釈する前に、それぞれの試験配合物に添加したことを除いて、上と同様に、３つの追加の試験配合物を調製した。添加されたブレンドは、以下の通りであった：全て全洗浄配合物に基づいて、１）α−トコフェロール：リポ酸、比３８２：１８ｐｐｍ、２）α−トコフェロール：ケイ皮酸、比３８７：１３ｐｐｍ、および３）α−トコフェロール：コーヒー酸、比３８４：１６ｐｐｍ。別の試験配合物を、工業用過酸化水素をＰｅｒｏｘｙ−Ｂｌｅｎｄ（登録商標）ＰＢ３１の代わりに使用したことを除いて、上のＰＢＸ配合物の通りに調製した。
【０１２９】
洗浄配合物をそれぞれ、９４℃で７日間、５５℃で２８日間の高温の経年化、周囲温度（平均温度、およそ２０℃）で１年間の経年化に晒し、次に、ｐＨの変化について測定した。結果を下の図１０に示す。
【０１３０】
図１０を検討すると、本発明によるα−トコフェロールと抗酸化剤ブースターとのブレンド（すなわち、上に記載されたブレンド１〜３）を添加すると、ｐＨ低下を防止するのに有意な改良を示し、工業用過酸化物が、ＰＢ３１過酸化物よりはるかに大きなｐＨ移行を引き起こしたことが明らかである。
【０１３１】
このように、本発明の好ましい実施形態であると現在考えられるものを開示したが、その他のさらなる変形および改変が、本発明の範囲または精神から逸脱することなく、なされ得ることは、当業者に明らかであり、全てのかかるその他の変化および改変は、本発明の範囲内に含まれることが意図されている。
【図１】
2014513160.tif 000022
【図２】
2014513160.tif 000023
【図３ａ】
2014513160.tif 000024
【図３ｂ】
2014513160.tif 000025
【図４ａ】
2014513160.tif 000026
【図４ｂ】
2014513160.tif 000027
【図５】
2014513160.tif 000028
【図６ａ】
2014513160.tif 000029
【図６ｂ】
2014513160.tif 000030
【図６ｃ】
2014513160.tif 000031
【図７】
2014513160.tif 000032
【図８】
2014513160.tif 000033
【図９】
2014513160.tif 000034
【図１０】
2014513160.tif 000035
【手続補正書】
【提出日】平成25年11月6日(2013.11.6)
【手続補正１】
【補正対象書類名】特許請求の範囲
【補正対象項目名】全文
【補正方法】変更
【補正の内容】
【特許請求の範囲】
【請求項１】
ａ）両親媒性の抗酸化成分、
ｂ）界面活性剤成分、および
ｃ）酸化体成分を含み、
両親媒性の抗酸化成分が、少なくとも１つの両親媒性の抗酸化剤および少なくとも１つの親水性の抗酸化剤ブースターを含み、両親媒性の抗酸化剤：ブースターのモル比が、少なくとも１：１であり、
界面活性剤成分が、少なくとも１つの有機界面活性剤を含み、
酸化体成分が、少なくとも１つの酸化体を含み、
両親媒性の抗酸化成分が、酸化攻撃に対する界面活性剤の安定性を改善するのに十分な量で存在する、安定化された界面活性剤組成物。
【請求項２】
酸化体成分が、過酸化物及びホスホン酸ベースの金属イオン封鎖剤を含む、請求項１に記載の組成物。
【請求項３】
両親媒性の抗酸化剤が、式Ｒ１−Ｒ２を有する化合物であり、
Ｒ１が、以下から選択される官能基：
【化１２】
2014513160.tif 000036
（式中、Ｘ１からＸ５は、Ｈ、ＯＨ、ＣＨ３もしくはそれらのいずれかの組合せであってよく、または任意に共鳴環状構造にＣＨ３基を連結するＯであってよい）、または
【化１３】
2014513160.tif 000037
（式中、Ｒ１は、炭素（１）と（２）の間の二重結合もしくは炭素（３）に付くペンダント酸素のいずれか、または両方の組合せを含有し、Ｘ１からＸ５は、上に記載された通りである）、または
【化１４】
2014513160.tif 000038
（式中、Ｘ１、Ｘ２、Ｘ３およびＸ４は、Ｈ、ＯＨもしくはＣＨ３、またはそれらのいずれかの組合せであってよい）、または、
【化１５】
2014513160.tif 000039
（式中、Ｘ１、Ｘ２、Ｘ３、Ｘ４およびＸ５は、Ｈ、Ｏ、ＣＨ３もしくはそれらの組合せであってよい）、または、
【化１６】
2014513160.tif 000040
（式中、Ｘ１、Ｘ２、Ｘ３、Ｘ４およびＸ５は、Ｈ、Ｏ、ＣＨ３もしくはそれらの組合せであってよい）であり、
Ｒ２が、Ｃ４からＣ２０の範囲内の炭素原子数を有する直鎖または分枝の炭素鎖疎水性構造である、
請求項１または２に記載の組成物。
【請求項４】
Ｘ１〜Ｘ５を含有するＲ１の式を有する化合物が、Ｘ１、Ｘ３およびＸ５の位置のそれぞれにＯＨ基を有する、請求項３に記載の組成物。
【請求項５】
界面活性剤成分が、酸、アルコール、アミンまたはアミド１モルに付き酸化エチレンおよび／または酸化プロピレンを１から１２モル有する、エトキシ化および／またはプロポキシ化された脂肪酸、アルコール、アミンまたはアミドの１つまたは複数を含む非イオン性界面活性剤を含み、酸、アルコール、アミンまたはアミドが、７から１５個の炭素原子を含む、請求項１から４のいずれか一項に記載の組成物。
【請求項６】
界面活性剤成分がカチオン性界面活性剤を含む、請求項１から４のいずれか一項に記載の組成物。
【請求項７】
カチオン性界面活性剤が四級アンモニウム化合物である、請求項６に記載の組成物。
【請求項８】
抗酸化剤ブースターが、式Ｒ３−Ｒ４を有する少なくとも１つの親水性化合物であり、
Ｒ３が五または六員環であり；六員環の員が全てＣであるか、または任意に環の１つの員がＮであり、１個のＣが置換基として−Ｒ４を有し、その他の炭素環の員が−Ｈ、−ＯＨ、−ＯＣＨ３から選択される置換基を有することができ；五員環の員が全てＣであるか、または任意に環の２個までの員がＳであり、１個のＣが置換基として−Ｒ４を有し、
Ｒ４が、Ｃ１からＣ５の長さおよび少なくとも１つのカルボン酸官能基を有する炭素鎖である、請求項１から７のいずれか一項に記載の組成物。
【請求項９】
Ｒ４が、鎖上の末端基である１個のカルボン酸官能基を有する、請求項８に記載の組成物。
【請求項１０】
抗酸化剤ブースターが、リポ酸、コーヒー酸、ケイ皮酸、ニコチン酸、ピコリン酸、フェルラ酸、クマル酸、それらの誘導体、およびそれらの組合せからなる群から選択される、請求項８に記載の組成物。
【請求項１１】
両親媒性の抗酸化成分が、α−トコフェロールおよびピコリン酸を含み、α−トコフェロールおよびピコリン酸が、それぞれ、界面活性剤の量に基づいて約１から約１０ｗｔ％の量で存在する、請求項１から１０のいずれか一項に記載の組成物。
【請求項１２】
過酸化物成分が、過酸化水素、およびホスホン酸ベースの金属イオン封鎖剤を含む、請求項２から１１のいずれか一項に記載の組成物。
【請求項１３】
酸化体成分が、（１）過酸化水素を、全組成物に基づいて０．１から約８ｗｔ％の量で、および（２）ＨＥＤＰ、その塩、またはそれらの分解生成物を、過酸化水素の量に基づいて約１０から約６０ｗｔ％の量で含み、
界面活性剤が、全組成物に基づいて０．１から約２ｗｔ％の量で存在し、
少なくとも１つの両親媒性の抗酸化剤化合物がα−トコフェロールであり、界面活性剤の量に基づいて約０．５から約２０ｗｔ％の量で存在する、
請求項１２に記載の組成物。
【請求項１４】
請求項１から１３のいずれか一項に記載の組成物を含む、洗浄組成物。
【請求項１５】
基材を備え、請求項１から１４のいずれか一項に記載の組成物が、基材上または基材中に吸収されている、物品。
【請求項１６】
有機界面活性剤及び酸化体を含む安定化された溶液を調製する方法であって、
１）界面活性剤成分を、両親媒性の抗酸化成分と組み合わせることによって、安定化された界面活性剤組成物を調製するステップ、
２）安定化された界面活性剤組成物を、酸化体と組み合わせるステップ、および
３）ｐＨを少なくとも６の値に調整する量のアルカリ剤を、ステップ２）からの組合せに添加するステップを含み、
界面活性剤成分が有機界面活性剤を含み、
酸化体成分が酸化体を含み、
両親媒性の抗酸化成分が、少なくとも１つの両親媒性の抗酸化剤および少なくとも１つの親水性の抗酸化剤ブースターを含み、両親媒性の抗酸化剤：ブースターのモル比が、少なくとも１：１であり、
両親媒性の抗酸化成分が、酸化体を含有する溶液中で、酸化攻撃に対する界面活性剤の安定性を改善するのに十分な量で存在する、方法。
【請求項１７】
酸化体の存在下で界面活性剤成分の安定性を改善するための両親媒性の抗酸化成分の使用であって、
両親媒性の抗酸化成分が、少なくとも１つの両親媒性の抗酸化剤および少なくとも１つの親水性の抗酸化剤ブースターを含み、両親媒性の抗酸化剤：ブースターのモル比が、少なくとも１：１であり、
両親媒性の抗酸化成分が、酸化体を含有する溶液中で、酸化攻撃に対する界面活性剤の安定性を改善するのに十分な量で存在する、両親媒性の抗酸化成分の使用。
【国際調査報告】
2014513160.tif 000041
2014513160.tif 000042